(57)【要約】【課題】取替え作業時の障害とならず、低コストで実施可能な配管漏洩部の補修方法を提供する。【解決手段】配管１０の隙間を覆うように、ロープと、ロープに染み込ませた水ガラスとからなる補修材料１７をあてがう。【選択図】図３
2008095736.tif 000002
【特許請求の範囲】
【請求項１】
隙間又は亀裂の生じた配管を補修する方法であって、
前記配管の隙間又は亀裂を覆うように、繊維材料と、前記繊維材料に染み込ませた水ガラスとからなる補修材料をあてがうことを特徴とする配管の補修方法。
【請求項２】
前記繊維材料は、予め、ほつれが生じるように加工されていることを特徴とする請求項１記載の補修方法。
【請求項３】
隙間又は亀裂の生じた配管を補修するための補修材料であって、
繊維材料と、
前記繊維材料に染み込ませた水ガラスとを備えることを特徴とする配管の補修材料。
【発明の詳細な説明】
【技術分野】
【０００１】
本発明は、発電所等における粉末状に粉砕された石炭をボイラーに供給する供給管などの配管に生じた隙間を補修するための方法及び補修材料に関する。
【背景技術】
【０００２】
発電所等では、粉砕機により粉砕された粉末状の石炭を、複数の鋼管が接合されることにより形成された配管を通じてボイラーに燃料として供給している。このような配管は、ボイラーの熱により膨張や変形を生じることがあり、かかる膨張や変形により配管同士の接合部などに隙間が生じることがある。このように、配管に隙間が発生した場合には取替え作業が必要であるが、取替え作業は発電所の停止時にしか行うことができない。しかし、取替え作業までの間に隙間から粉末状の石炭が漏れ出す虞があるため、隙間が生じたらすぐに何らかの方法により隙間を塞ぐ必要がある。従来は、隙間を塞ぐ方法として、粘着性を有するコーキング材を配管に生じた隙間に詰める方法が用いられていた。
【発明の開示】
【発明が解決しようとする課題】
【０００３】
しかしながら、上記の方法では、コーキング材が強い粘着性を持つため、配管などに粘着したコーキング材を完全に除去するのは難しく、配管にこびりついたコーキング材が取替え作業の障害になるという問題がある。また、コーキング材は比較的に高価な材料であるため、補修作業がコスト高になってしまう。
【０００４】
本発明は、上記の問題に鑑みなされたものであり、その目的は、取替え作業時の障害とならず、低コストで実施可能な配管の補修方法を提供することである。
【課題を解決するための手段】
【０００５】
本発明の配管の補修方法は、隙間又は亀裂の生じた配管を補修する方法であって、前記配管の隙間又は亀裂を覆うように、繊維材料と、前記繊維材料に染み込ませた水ガラスとからなる補修材料をあてがうことを特徴とする。また、前記繊維材料は、予め、ほつれが生じるように加工されていてもよい。
【０００６】
上記の補修方法によれば、水ガラスは常温では粘動性を有するが、水分を失うことで固化する性質を有するため、常温で配管の隙間又は亀裂を覆うようにあてがうことで隙間を塞ぐことができ、パッキンの取替え工事などの場合には、固化した水ガラスを容易に剥がすことができるため、取替え工事の障害とならない。また、水ガラスは従来用いられていたコーキング材に比べて廉価であるため、コストを削減できる。
【０００７】
また、本発明は、隙間又は亀裂の生じた配管の補修材料であって、繊維材料と、前記繊維材料に染み込ませた水ガラスとを備えることを特徴とする配管の補修材料を含むものとする。
【発明の効果】
【０００８】
本発明によれば、水ガラスが常温では粘動性を有するが、水分を失うことで固化する性質を有するため、配管の隙間を覆うようにあてがった補修材料に含まれる水ガラスはボイラーの熱により水分を失って固化することで、配管の隙間又は亀裂を完全に塞ぐことができる。また、取替え工事の際に固化した水ガラスを容易に剥がすことができ、復旧作業の障害とならない。また、本発明の水ガラスは廉価であるため、低コストで補修作業を行うことができる。
【発明を実施するための最良の形態】
【０００９】
以下、本発明の配管の補修方法の一実施形態について図面に基づき説明する。図１は、本実施形態の配管の補修方法の適用の対象となる配管１０を示す図である。同図に示すように、配管１０は、石炭を粉砕する粉砕機１１とボイラー１２を結ぶように設けられ、粉砕機１１で粉砕された粉末状の石炭を、ボイラー１２に供給するためのものである。配管１０は後述する接合構造２０により接合された複数の鋼管１８により形成されている。ボイラー１２において、供給された微粉状の石炭を燃料として燃焼させているため、配管１０の温度はボイラー１２の熱により８０〜１００℃程度まで達する。
【００１０】
図２は、鋼管１８同士の接合部を示す図であり、同図（Ａ）は接合部の正面図、（Ｂ）は（Ａ）におけるI−I´断面図、（Ｃ）は、（Ｂ）におけるII−II´断面図である。同図に示すように、鋼管１８は、鋼管１８同士の接合部を外周側から覆おうように取り付けられたパッキン１６と、このパッキン１６を取り囲むように設けられた一箇所が割られたリング状のハウジング１３と、ハウジング１３の割部分を接続するように取り付けられたボルト１４及びナット１５とにより構成される接合構造２０により接続されている。ハウジング１３に取り付けられたボルト１４を締付けることによりハウジング１３が締まり、これにより、パッキン１６が鋼管１８の接合部に押し付けられるため、隙間を塞ぐことができる。
【００１１】
ここで、上述のように配管１０はボイラー１２の熱により高温に達するため、鋼管１８やハウジング１３が膨張、変形を発生する。鋼管１８やハウジング１３など接合構造２０を構成する部材が膨張、変形すると、接合構造２０を構成する部材同士にずれが生じて、鋼管１８の接合部に隙間が生じてしまうことがある。このような隙間が生じると、隙間から微粉状の石炭が漏れ出すので、変形した部材を交換する必要がある。しかし、交換作業は発電所を停止しなければ行うことができないので、それまでの間、何らかの手段により隙間を塞ぐ必要がある。
【００１２】
本実施形態の配管の補修方法は、図３に示すように、このような配管１０に生じた隙間を覆うように、ロープと、ロープに染み込ませた水ガラスとで構成された補修材料１７をあてがうことにより、隙間を塞ぐものである。補修材料１７は、常温で容器に水ガラスを満たしておき、この中にロープを投入することで容易に作成することができる。
【００１３】
水ガラスは、常温では粘動性の液体であるため、水ガラス単体を補修材料として取り扱うのは難しいが、本実施形態では、ロープなどの繊維材料に染み込ませているため、容易に取り扱うことができる。また、水ガラスは、高温に曝されると水分が蒸発して固化するという性質を有する。
【００１４】
ロープは、直径３０ｍｍ程度のものが適しており、このようなロープとしては例えばホンテス工業（株）製のセラテックロープなどを用いることができる。また、ロープは水ガラスを染み込ませる前に、予め、繊維に傷を付けるなどの方法により、ほつれを生じさせておくとよい。
【００１５】
補修材料１７を隙間を覆うようにあてがうと、水ガラスが配管１０に生じた隙間の形状に合わせて変形する。また、隙間にロープのほつれた繊維が入り込み、隙間内部まで水ガラスを充填することができる。このようにして、補修材料１７により隙間を塞ぐことができる。また、配管１０はボイラー１２の熱により高温になっているため、隙間にあてがわれた補修材料１７の水ガラスに含まれる水分が蒸発し、水ガラスが配管１０の隙間を閉塞した状態で固化する。
【００１６】
従来の手法では、粘着性を有するコーキング材で隙間を覆うことにより、隙間を塞いでいた。しかし、このようなコーキング材は粘着力が強いため、鋼管１８にこびりついてしまい、こびりついたコーキング材を除去するのに非常に手間がかかってしまったり、完全にコーキング材を除去することができず、部材の交換作業の障害となってしまったりするという問題があった。
【００１７】
これに対して、本実施形態の補修方法で用いている水ガラスは、上述したように、配管１０の熱により固化する性質を備えており、ボイラー１２の熱により配管１０が高温に達するため固化する。固化した水ガラスは容易に剥離させることができ、剥離した後も、鋼管１８などにこびりつくことがないため、部材の交換の際に障害となることがない。
【００１８】
以上説明したように、本発明の配管の補修方法によれば、固化した水ガラスを容易に剥がし取ることができるため、部材の交換作業を円滑に行うことができる。また、水ガラスはコーキング材に比べて廉価で入手できるため、補修作業にかかるコストを削減することができる。
【００１９】
なお、本実施形態では、鋼管同士の接合部に生じた隙間を補修する場合を例として説明したが、これに限らず、本発明の配管の補修方法は、配管１０に亀裂が生じた場合などにも用いることができる。
なお、本実施形態では、ロープに水ガラスを染み込ませるものとしたが、これに限らず、水ガラスを染み込ませることができるような繊維状のものであり、隙間にあてがうことができる部材であればよい。
【図面の簡単な説明】
【００２０】
【図１】本実施形態の配管漏洩部の補修方法の適用の対象となる配管を示す図である。
【図２】配管における供給用の配管同士の接合部を示す図であり、同図（Ａ）は配管の断面図であり、（Ｂ）は（Ａ）におけるI−I´断面図であり、（Ｃ）は、（Ｂ）におけるII−II´断面図である。
【図３】本実施形態の配管１０の補修方法を説明するための図である。
【符号の説明】
【００２１】
１０  配管
１１  粉砕機
１２  ボイラー
１３  ハウジング
１４  ボルト
１５  ナット
１６  パッキン
１７  ロープ
１８  鋼管
２０  接合構造
【図１】
2008095736.tif 000003
【図２】
2008095736.tif 000004
【図３】
2008095736.tif 000005